(57)【要約】【課題】簡単かつ迅速に放射性物質を洗浄することができる洗浄剤及び洗浄方法を提供する。【解決手段】セシウム１３７・セシウム１３４を主とする放射性物質を洗浄するのに適しており、金属イオン封鎖剤と、漂白剤と、界面活性剤とを含む液剤又は混合物よりなり、必要に応じて水で希釈される。使用時における金属イオン封鎖剤の濃度は０．０５質量％以上、漂白剤の濃度は０．５質量％以上、界面活性剤の濃度は０．１質量％以上５質量％以下とすることが好ましい。【選択図】なし【特許請求の範囲】
【請求項１】
放射性物質を洗浄する洗浄剤であって、
金属イオン封鎖剤と、漂白剤と、界面活性剤とを含むことを特徴とする放射性物質の洗浄剤。
【請求項２】
金属イオン封鎖剤の濃度が０．０５質量％以上、漂白剤の濃度が０．５質量％以上、界面活性剤の濃度が０．１質量％以上５質量％以下であることを特徴とする請求項１記載の放射性物質の洗浄剤。
【請求項３】
金属イオン封鎖剤の濃度が０．０５質量％以上、漂白剤の濃度が０．５質量％以上、界面活性剤の濃度が０．１質量％以上５質量％以下となるように希釈して用いることを特徴とする請求項１記載の放射性物質の洗浄剤。
【請求項４】
金属イオン封鎖剤と、漂白剤と、界面活性剤とを用いて放射性物質を洗浄することを特徴とする放射性物質の洗浄方法。
【請求項５】
金属イオン封鎖剤、漂白剤、及び界面活性剤のうちの少なくとも１種を含む洗浄剤を１種又は２種以上用いて、放射性物質を洗浄することを特徴とする請求項４記載の放射性物質の洗浄方法。
【請求項６】
洗浄時の洗浄剤における金属イオン封鎖剤の濃度は０．０５質量％以上、漂白剤の濃度は０．５質量％以上、界面活性剤の濃度は０．１質量％以上５質量％以下とすることを特徴とする請求項５記載の放射性物質の洗浄方法。
【発明の詳細な説明】
【技術分野】
【０００１】
本発明は、道路、建物、又は木製品等に付着したセシウム１３７・セシウム１３４等の放射性物質を洗浄する洗浄剤及び洗浄方法に関する。
【背景技術】
【０００２】
東京電力福島第一原子力発電所の事故に伴い、セシウム１３７・セシウム１３４を中心とした放射性物質による汚染が問題となっている。例えば、アスファルト又はコンクリート等の路面に付着した放射性物質は、水による洗浄では十分に除去することが難しく、路面の表面を溶かしたり、削ったりしなければ除去することができない。しかし、路面の表面を溶かすと有害なガスが発生し、削ると放射性物質を含む粉塵が空気中に飛散してしまい、またそれらの作業は時間も費用もかかり、広範囲にわたり処理を行う必要があることを考えると現実的ではない。そこで、簡単かつ迅速に放射性物質を洗浄することができる方法の開発が望まれていた。なお、セシウムの吸着材又は吸収剤についての報告があるが（例えば、非特許文献１参照）、路面等に付着したセシウムを洗浄するものではない。
【先行技術文献】
【非特許文献】
【０００３】
【非特許文献１】川本徹  他、「プルシアンブルーを利用して多様な形態のセシウム吸着材を開発」、２０１１年８月２４日発表、独立行政法人産業技術総合研究所、http://www.aist.go.jp/aist_i/press_release/pr2011/pr20110824/pr20110824.html
【発明の概要】
【発明が解決しようとする課題】
【０００４】
本発明は、このような問題に基づきなされたものであり、簡単かつ迅速に放射性物質を洗浄することができる洗浄剤及び洗浄方法を提供することを目的とする。
【課題を解決するための手段】
【０００５】
本発明の放射性物質の洗浄剤は、金属イオン封鎖剤と、漂白剤と、界面活性剤とを含むものである。
【０００６】
本発明の放射性物質の洗浄方法は、金属イオン封鎖剤と、漂白剤と、界面活性剤とを用いて放射性物質を洗浄するものである。
【発明の効果】
【０００７】
本発明の放射性物質の洗浄剤によれば、金属イオン封鎖剤と、漂白剤と、界面活性剤とを含むようにしたので、金属イオン封鎖剤により放射性物質を含む金属石鹸を不活性化し、漂白剤から発生する酸素により放射性物質を含む汚れを浮き上がらせると共に、放射性物質を酸化作用によって引きはがしやすくし、更に、表面のカビを漂白することにより有機物に付着しやすい放射性物質を洗い流すことができる。また、放射性物質が付着している箇所には油分も多く付着しているので、界面活性剤により放射性物質を含む汚れを除去しやすくすることができる。よって、簡単かつ迅速に放射性物質を洗浄することができる。
【０００８】
特に、洗浄時における金属イオン封鎖剤の濃度を０．０５質量％以上、漂白剤の濃度を０．５質量％以上、界面活性剤の濃度を０．１質量％以上５質量％以下とするようにすれば、より高い効果を得ることができる。
【０００９】
また、本発明の放射性物質の洗浄方法によれば、金属イオン封鎖剤と、漂白剤と、界面活性剤とを用いるようにしたので、同様に、簡単かつ迅速に放射性物質を洗浄することができる。その際、金属イオン封鎖剤、漂白剤、及び界面活性剤のうちの少なくとも１種を含む洗浄剤を１種又は２種以上用いて、放射性物質を洗浄するようにしてもよい。
【発明を実施するための形態】
【００１０】
以下、本発明の実施の形態について詳細に説明する。
【００１１】
本実施の形態の放射性物質の洗浄剤は、セシウム１３７・セシウム１３４を主とする放射性物質を洗浄するのに適したものであり、金属イオン封鎖剤と、漂白剤と、界面活性剤とを含む液剤又は混合物である。路面等に降り注いだ放射性物質は、金属石鹸となっている汚れに多く含まれているので、金属イオン封鎖剤を用いることにより、金属石鹸を不活性化し、洗浄しやすくすることができるからである。また、路面等に降り注いだ放射性物質は、路面等の表面の汚れに多く含まれているので、漂白剤を用いることにより、酸素等の発生で汚れを浮き上がらせると共に、強い酸化作用により放射性物質を引きはがしやすくすることができ、更に、表面のカビを漂白することにより有機物に付着しやすい放射性物質を洗い流すことができるからである。加えて、放射性物質が付着している箇所には、油分も多く付着しているので、界面活性剤を用いることにより、放射性物質を含む汚れを洗浄しやすくすることができるからである。
【００１２】
金属イオン封鎖剤は、有機系の方が洗浄効果は高いが、無機系でもよく、いずれか１種を単独で用いても、２種以上を混合して用いてもよい。有機系金属イオン封鎖剤としては、例えば、ヒドロキシ・カーボネイト系、アミノ・カーボネイト系、又はヒドロキシ・アミノカーボネイト系が挙げられる。ヒドロキシ・カーボネイト系としては、例えば、クエン酸、グリコール酸、グルコン酸、又はそれらの塩が挙げられ、アミノ・カーボネイト系としては、例えば、ニトリロ酸酢酸（ＮＴＡ）、エチレンジアミン四酢酸（ＥＤＴＡ）、ジエチレントリアミン五酢酸（ＤＴＰＡ）、又はそれらの塩が挙げられ、ヒドロキシ・アミノカーボネイト系としては、例えば、ヒドロキシエチルエチレンジアミン三酢酸（ＨＥＤＴＡ）、又はその塩が挙げられる。無機系金属イオン封鎖剤としては、例えば、重合リン酸系が挙げられ、具体的には、オルソリン酸ナトリウム、ピロリン酸ナトリウム、トリポリリン酸ナトリウム、テトラリン酸ナトリウム、又はヘキサメタリン酸ナトリウム等が挙げられる。
【００１３】
漂白剤は、過酸化水素水などの酸素系でも、次亜塩素酸ナトリウムなどの塩素系でもよく、また、いずれか１種を単独で用いても、２種以上を混合して用いてもよい。但し、洗浄する場所、例えば路面などが酸性の場合には、塩素系漂白剤を用いると有毒な塩素が発生するので、酸素系を用いることが好ましい。
【００１４】
界面活性剤には、陰イオン系界面活性剤、陽イオン系界面活性剤、両性イオン界面活性剤、又は非イオン系界面活性剤のいずれを用いてもよく、１種を単独で用いてもよいが、陰イオン系界面活性剤と陽イオン系界面活性剤とを混ぜる以外は２種以上を混合して用いてもよい。陰イオン系界面活性剤としては、例えば、アルファスルホ脂肪酸エステルナトリウム、直鎖アルキルベンゼンスルホン酸ナトリウム、アルキル硫酸エステルナトリウム、アルキルエーテル硫酸エステルナトリウム、アルファオレフィンスルホン酸ナトリウム、アルキルスルホン酸ナトリウム、又はポリオキシエチレン脂肪酸アルカノールアミドが挙げられる。陽イオン系界面活性剤としては、例えば、アルキルトリメチルアンモニウム塩、又はジアルキルジメチルアンモニウム塩が挙げられる。両性イオン界面活性剤としては、例えば、アルキルアミノ脂肪酸ナトリウム、アルキルベタイン、又はアルキルアミンオキシドが挙げられる。非イオン系界面活性剤としては、例えば、しょ糖脂肪酸エステルソルビタン脂肪酸エステル、ポリオキシエチレンソルビタン脂肪酸エステル、脂肪酸アルカノールアミド、ポリオキシエチレンアルキルエーテル、又はポリオキシエチレンアルキルフェニルエーテルが挙げられる。
【００１５】
この放射性物質の洗浄剤は、必要に応じて水で希釈されていてもよく、また、使用の際に、水で希釈して用いるようにしてもよい。洗浄時の洗浄剤における金属イオン封鎖剤の濃度は、例えば、０．０５質量％以上１質量％以下とすれば好ましく、０．１質量％以上０．４質量％以下とすれば更に好ましい。この範囲内においてより高い効果を得ることができるからである。
【００１６】
洗浄時の洗浄剤における漂白剤の濃度は、例えば、０．５質量％以上とすることが好ましく、３０質量％以下とすればより好ましく、２質量％以上６質量％以下とすれば更に好ましい。この範囲内においてより高い効果を得ることができるからである。なお、漂白剤の濃度は、洗浄対象が土や砂利である場合には、舗装道路等に比べて濃度を高くした方が好ましく、例えば、２質量％以上とすることが好ましい。
【００１７】
洗浄時の洗浄剤における界面活性剤の濃度は厳密に規定する必要はないが、濃度が高いと、道路等の場合、洗浄剤を水で流す際に洗浄剤が残ってしまい、スリップ等の原因となることがあるので注意が必要である。界面活性剤の濃度は、例えば、０．１質量％以上５質量％以下とすることが好ましく、０．５質量％以上２質量％以下とすればより好ましい。この範囲内においてより高い効果を得ることができるからである。
【００１８】
なお、洗浄剤は、洗浄時（すなわち使用時）の濃度で保存しておいてもよいが、洗浄時よりも高濃度に濃縮した状態で保存しておき、洗浄時に上記濃度となるように希釈して用いるようにしてもよい。濃縮して保存する場合には、例えば、保存時の洗浄剤における金属イオン封鎖剤の濃度を０．２質量％以上１質量％以下、漂白剤の濃度を過酸化水素の場合で６質量％以上３０質量％以下、界面活性剤の濃度をアルキルエーテル硫酸エステルナトリウムの場合で２質量％以上１０質量％以下とすることが好ましい。また、漂白剤の濃度を６質量％以上とすると劇物指定となるので、劇物指定を回避する場合には、６質量％未満とすることが好ましい。
【００１９】
この洗浄剤を用い、例えば、次のようにして放射性物質を洗浄する。まず、例えば、金属イオン封鎖剤、漂白剤、及び界面活性剤を含む洗浄剤を洗浄箇所にまんべんなく散布する。その際、洗浄剤における金属イオン封鎖剤、漂白剤、及び界面活性剤の濃度は、上述した範囲内となるようにすることが好ましい。例えば、予め上述した濃度に調整されている洗浄剤であればそのまま用い、濃縮されている場合には、希釈して濃度を調整する。
【００２０】
また、金属イオン封鎖剤、漂白剤、及び界面活性剤のうちのいずれか１種以上を含む洗浄剤を２種以上混合又は複合して用いてもよい。例えば、散布の前に混合して用いてもよく、別々に散布し、複合して用いてもよい。
【００２１】
洗浄剤を散布したのち、所定の時間、例えば３分から５分程度放置し、乾燥する前に、ブラシ等で軽く磨き、生じた茶褐色の泡を水で流すことが好ましい。例えば、道路を洗浄する場合であれば、回転ブラシ付の道路高圧洗浄車で作業を行えば効果的である。これにより、放射性物質を洗浄することができる。
【００２２】
このように、本実施の形態によれば、金属イオン封鎖剤と、漂白剤と、界面活性剤とを用いるようにしたので、金属イオン封鎖剤により放射性物質を含む金属石鹸を不活性化し、漂白剤から発生する酸素により放射性物質を含む汚れを浮き上がらせると共に、放射性物質を酸化作用によって引きはがしやすくし、更に、表面のカビを漂白することにより有機物に付着しやすい放射性物質を洗い流すことができる。また、放射性物質が付着している箇所には油分も多く付着しているので、界面活性剤により放射性物質を含む汚れを除去しやすくすることができる。よって、簡単かつ迅速に放射性物質を洗浄することができる。
【００２３】
特に、洗浄時における金属イオン封鎖剤の濃度を０．０５質量％以上、漂白剤の濃度を０．５質量％以上、界面活性剤の濃度を０．１質量％以上５質量％以下とするようにすれば、より高い効果を得ることができる。
【実施例】
【００２４】
（実施例１−１，１−２）
金属イオン封鎖剤としてＥＤＴＡ−２Ｎａ（エチレンジアミン四酢酸二ナトリウム）と、漂白剤と、界面活性剤としてアルキルエーテル硫酸エステルナトリウムと、水とを混合して放射性物質の洗浄剤を作製した。その際、漂白剤として、実施例１−１では酸素系の過酸化水素水を用い、実施例１−２では塩素系の次亜塩素酸ナトリウムを用いた。また、放射性物質の洗浄剤における金属イオン封鎖剤の濃度を０．１質量％とし、漂白剤の濃度を実施例１−１の過酸化水素水では２質量％、実施例１−２の次亜塩素酸ナトリウムでは０．５質量％とし、界面活性剤の濃度を１質量％とした。
【００２５】
次いで、作製した放射性物質の洗浄剤をアスファルト路面に散布し、デッキブラシで擦ったのち、ホースにより流水することにより、放射性物質の洗浄を行った。そののち、アスファルト路面表面から１ｃｍ上方の位置で放射線量を測定した。なお、放射線量の測定には、γ線とβ線の合計値により測定を行う放射線測定器（Ｓ．Ｅ.社製 inspector+）を用いた。また、放射性物質の洗浄は、福島県伊達市南掘付近のアスファルト道路で行った。
【００２６】
実施例１−１,１−２に対する比較例として、市販の各種洗浄剤を用いて、実施例１−１，１−２と同様にして洗浄および放射線量の測定を行った。各種洗浄剤としては、比較例１−１では、金属イオン封鎖剤および界面活性剤（アルキルエーテル硫酸エステルナトリウム）９質量％を含む浴室用洗浄剤Ａとし、比較例１−２では、アルカリ剤および界面活性剤（アルキルアミンオキシド）１質量％を含む台所用洗浄剤Ａとし、比較例１−３では、金属イオン封鎖剤および界面活性剤（脂肪酸アミドプロピルベタイン）４質量％を含むトイレ用洗浄剤Ａとし、比較例１−４では、界面活性剤（陰イオン系界面活性剤）１３．０質量％を含む食器用洗剤Ａとし、比較例１−５では、界面活性剤（アルキルエーテル硫酸エステルナトリウム，アルファオレフィンスルホン酸ナトリウムおよびポリオキシエチレン脂肪酸アルカノールアミド）２０質量％を含む食器用洗剤Ｂとし、比較例１−６では、塩素系漂白剤（次亜塩素酸ナトリウム），界面活性剤（アルキルエーテル硫酸エステルナトリウム）およびアルカリ剤（水酸化ナトリウム）を含む台所用漂白剤Ａとし、比較例１−７では、塩酸および界面活性剤（アルキルトリメチルアンモニウム塩）を含むトイレ用洗浄・除菌剤Ａとした。更に、比較例１−８では、水のみを用いて実施例１−１，１−２と同様にして洗浄および放射線量の測定を行った。得られた結果を表１に示す。なお、洗浄前の放射線量は６．３μＳｖ／ｈであった。
【００２７】
【表１】
2013083533.tif 000002
【００２８】
表１に示したように、金属イオン封鎖剤，漂白剤および界面活性剤を含む放射性物質の洗浄剤を用いた実施例１−１，１−２よれば、洗浄前に比較して放射線量を低下させることができることが分かった。また、水により洗浄した１−８、あるいは金属イオン封鎖剤，漂白剤および界面活性剤のうちのいずれか１種または２種のみを含む比較例１−１〜１−７よりも、放射線量を飛躍的に低下させることができることが分かった。よって、金属イオン封鎖剤，漂白剤および界面活性剤を含む放射性物質の洗浄剤を用いるようにすれば、放射線量を低下させることができることが分かった。
【００２９】
（実施例２−１,２−２）
放射性物質の洗浄を福島県福島市宮代字乳児池のアスファルト道路で行ったことを除き、他は実施例１−１，１−２と同様にして洗浄剤の作製，洗浄および放射線量の測定を行った。また、比較例２−１として、水のみを用いて実施例２−１，２−２と同様にして洗浄および放射線量の測定を行った。
【００３０】
放射線量を測定した結果は、実施例２−１が１．４９μＳｖ／ｈであり、実施例２−２が１．４５μＳｖ／ｈであり、比較例２−１が２．４０μＳｖ／ｈであった。なお、洗浄前の放射線量は５．２μＳｖ／ｈ〜６．３μＳｖ／ｈであった。すなわち、他の場所でも、金属イオン封鎖剤，漂白剤および界面活性剤を含む放射性物質の洗浄剤を用いるようにすれば、放射線量を低下させることができることが分かった。
【００３１】
（実施例３）
金属イオン封鎖剤としてＥＤＴＡ−２Ｎａ（エチレンジアミン四酢酸二ナトリウム）と、漂白剤として次亜塩素酸ナトリウムと、界面活性剤としてアルキルエーテル硫酸エステルナトリウムと、水とを混合して放射性物質の洗浄剤を作製した。その際、放射性物質の洗浄剤における金属イオン封鎖剤の濃度を０．１質量％とし、漂白剤の濃度を２質量％とし、界面活性剤の濃度を２質量％とした。
【００３２】
次いで、福島県福島市宮代字乳児池のアスファルト道路において、実施例１−１，１−２と同様にして放射性物質の洗浄を行い、実施例１−１，１−２と同様にして放射線量を測定した。その結果、放射線量は１．８５μＳｖ／ｈであった。なお、洗浄前の放射線量は５．２μＳｖ／ｈ〜６．５μＳｖ／ｈであった。
【００３３】
（実施例４−１，４−２）
金属イオン封鎖剤としてＥＤＴＡ−２Ｎａ（エチレンジアミン四酢酸二ナトリウム）と、漂白剤として過酸化水素水と、界面活性剤としてアルキルエーテル硫酸エステルナトリウムと、水とを混合して放射性物質の洗浄剤を作製した。その際、放射性物質の洗浄剤における金属イオン封鎖剤の濃度を０．１質量％とし、漂白剤の濃度を実施例４−１では２質量％、実施例４−２では６質量％とし、界面活性剤の濃度を１質量％とした。
【００３４】
次いで、福島県福島市宮代字乳児池のウッドデッキについて、実施例１−１，１−２と同様にして放射性物質の洗浄を行い、実施例１−１，１−２と同様にして放射線量を測定した。また、比較例４−１として、水のみを用いて実施例４−１，４−２と同様にして洗浄および放射線量の測定を行った。
【００３５】
【表２】
2013083533.tif 000003
【００３６】
放射線量を測定した結果は、表２に示したように、実施例４−１が１．３６μＳｖ／ｈであり、実施例４−２が１．０４μＳｖ／ｈであり、比較例４−１が２．５６μＳｖ／ｈであった。なお、洗浄前の放射線量は８．００μＳｖ／ｈ〜１０．７１μＳｖ／ｈであった。すなわち、金属イオン封鎖剤，漂白剤および界面活性剤を含む放射性物質の洗浄剤を用いるようにすれば、コンクリートやアスファルトだけでなく、木製の製品の表面の放射線量を低下させることができることが分かった。
【００３７】
（実施例５）
金属イオン封鎖剤の濃度を０．０５質量％以上１質量％以下、漂白剤の濃度を０．５質量％以上３０質量％以下、界面活性剤の濃度を０．１質量％以上５質量％以下の範囲で変化させたことを除き、他は実施例１−１，１−２と同様にして洗浄剤の作製，洗浄および放射線量の測定を行った。その結果、これらの範囲内で、より高い効果を得ることができた。
【００３８】
以上、実施の形態を挙げて本発明を説明したが、本発明は上記実施の形態に限定されるものではなく、種々変形可能である。例えば、上記実施の形態及び実施例では、道路又は木製品等を洗浄する場合について具体的に説明したが、建物の外壁や、樹木等を洗浄する場合についても同様に用いることができ、また、庭石や砂利等を洗浄する場合に用いることもできる。
【産業上の利用可能性】
【００３９】
道路、建物、又は木製品等の放射性物質の洗浄に用いることができる。